(57)【要約】【課題】施工現場での加工の手間を抑えて効率よく施工することができるけらば部材を提供する。【解決手段】基板１の側端部に上側に向かって立ち上げ片２を突設する。立ち上げ片２の上端に基板１側に向かって突出片を突設する。突出片の先端からその上面側に折り返し屈曲して折り返し片４を形成する。立ち上げ片２の外側において折り返し片４の先端から下側に向かって覆い片５を突設する。基板１の下側において覆い片５の下端から基板１側に向かって延出片６を突設する。延出片６の先端から下側に向かって水切り片７を突設する。突出片と折り返し片４と覆い片５の軒側端部でカバー部８を形成する。カバー部８を基板１及び立ち上げ片２の軒側端面１５よりも軒側に突出して形成する。基板１の棟側端部を接続部９として形成する。接続部９を突出片と折り返し片４と覆い片５の棟側端面１６よりも棟側に突出して形成する。【選択図】図１
2008208541.tif 000002
【特許請求の範囲】
【請求項１】
基板の側端部に上側に向かって立ち上げ片を突設し、立ち上げ片の上端に基板側に向かって突出片を突設し、突出片の先端からその上面側に折り返し屈曲して折り返し片を形成し、立ち上げ片の外側において折り返し片の先端から下側に向かって覆い片を突設し、基板の下側において覆い片の下端から基板側に向かって延出片を突設し、延出片の先端から下側に向かって水切り片を突設し、突出片と折り返し片と覆い片の軒側端部でカバー部を形成すると共にカバー部を基板及び立ち上げ片の軒側端部よりも軒側に突出して形成し、基板の棟側端部を接続部として形成すると共に接続部を突出片と折り返し片と覆い片の棟側端部よりも棟側に突出して形成して成ることを特徴とするけらば部材。
【請求項２】
延出片及び水切り片の軒側端面と基板の軒側端面とを軒棟方向において略同位置に形成して成ることを特徴とする請求項１に記載のけらば部材。
【請求項３】
カバー部を構成する覆い片に、その軒側端面から折り返し片と覆い片との境界であるカバー部の棟側端部にまで至る切り込みを設け、カバー部を構成する覆い片と折り返し片及び突出片を折曲することで蓋を形成可能にして成ることを特徴とする請求項１又は２に記載のけらば部材。
【請求項４】
延出片及び水切り片の棟側端面を突出片と折り返し片と覆い片の棟側端面よりも棟側に突出し、且つ延出片及び水切り片の棟側端面を基板の接続部の棟側端面よりも軒側の位置に形成して成ることを特徴とする請求項１乃至３のいずれか一項に記載のけらば部材。
【発明の詳細な説明】
【技術分野】
【０００１】
本発明は、屋根のけらば部分に配設されるけらば部材に関するものである。
【背景技術】
【０００２】
従来より、屋根のけらば部分にはけらば部材を設けて屋根の外観の向上や防水性を確保している（例えば、特許文献１、２参照）。これらけらば部材においては、接続する際に、別途接続部材が必要であったり、基板や水切り片等を別部材で形成している。そのため、部品点数が多くなり、現場での作業が煩雑となる。そこで、出願人は、図８（ａ）に示されるけらば部材を開発している。このけらば部材Ａは、金属板を折り曲げ加工して一部材で形成するものであって、平板状の基板１と、基板１の一方の側端部から上側に向かって突設される断面略コ字状の被覆部４０と、基板１の下側に突設される水切り片７とを有して形成されている。そして、基板１を屋根下地に固定すると共に水切り片７を屋根下地のけらば部分の外側において下方に向かって突出させることによって、複数個のけらば部材Ａ、Ａ…を屋根の軒棟方向（傾斜方向）に並べてけらば部分に取り付け、この後、被覆部４０の内側に屋根材の側端部を差し込みながらその屋根材を基板の上に載せることによって、複数枚の屋根材を屋根下地上に敷設する。この後、けらば部材Ａを覆うようにしてけらば瓦を敷設することによって、屋根のけらば部を形成することができる。
【０００３】
ここで、軒棟方向で隣接するけらば部材Ａ１、Ａ２は、防水性向上のために上下に重ねて接続（ジョイント）している。すなわち、図８（ｂ）に示すように、棟側に配設されるけらば部材Ａ１の軒側端部において被覆部４０と水切り片７とを切除することによって、被覆部と水切り片よりも軒側に突出する基板の軒側端部を接続部として形成し、軒側に配置されるけらば部材Ａ２の棟側端部の被覆部４０を略Ｖ字状に切除し、このように加工したけらば部材Ａ１、Ａ２を軒棟方向に並べてけらば部材Ａ１の接続部９をけらば部材Ａ２の基板１の棟側端部の上に重ねることによって、けらば部材Ａ１、Ａ２を接続するようにしている。上記のような加工は、けらば部材Ａ１、Ａ２を接続する際に重なり合う部分を少なくし、隙間の発生をなくすために必要なものである。また、最も軒側に配設されるけらば部材Ａには、外観の向上等のために、被覆部の軒側端部の開口に蓋２０をする加工を施している。
【０００４】
しかし、上記のようなけらば部材Ａでは、接続部９を形成するために施工現場において、はさみなどを用いて複雑な加工をする必要があり、また、蓋２０をする場合でも被覆部４０に対する加工が多くなって、蓋２０を形成するのが困難となる場合もあった。そのため、作業者の熟練度によって、施工状態が大きく左右されるという問題があった。
【特許文献１】実開平７−３８３６４号公報
【特許文献２】特開２００１−２５４４９１号公報
【発明の開示】
【発明が解決しようとする課題】
【０００５】
本発明は上記の点に鑑みてなされたものであり、施工現場での加工の手間を抑えて、作業者の熟練度に影響を受けずに一定の施工状態を得ることができるけらば部材を提供することを目的とするものである。
【課題を解決するための手段】
【０００６】
本発明の請求項１に係るけらば部材Ａは、基板１の側端部に上側に向かって立ち上げ片２を突設し、立ち上げ片２の上端に基板１側に向かって突出片３を突設し、突出片３の先端からその上面側に折り返し屈曲して折り返し片４を形成し、立ち上げ片２の外側において折り返し片４の先端から下側に向かって覆い片５を突設し、基板１の下側において覆い片５の下端から基板１側に向かって延出片６を突設し、延出片６の先端から下側に向かって水切り片７を突設し、突出片３と折り返し片４と覆い片５の軒側端部でカバー部８を形成すると共にカバー部８を基板１及び立ち上げ片２の軒側端面１５よりも軒側に突出して形成し、基板１の棟側端部を接続部９として形成すると共に接続部９を突出片３と折り返し片４と覆い片５の棟側端面１６よりも棟側に突出して形成して成ることを特徴とするものである。
【０００７】
本発明の請求項２に係るけらば部材Ａは、請求項１において、延出片６及び水切り片７の軒側端面１１と基板１の軒側端面１５とを軒棟方向において略同位置に形成して成ることを特徴とするものである。
【０００８】
本発明の請求項３に係るけらば部材Ａは、請求項１又は２において、カバー部８を構成する覆い片５に、その軒側端面から折り返し片４と覆い片５との境界であるカバー部８の棟側端部にまで至る切り込み１０を設け、カバー部８を構成する覆い片５と折り返し片４及び突出片３を折曲することで蓋２０を形成可能にして成ることを特徴とするものである。
【０００９】
本発明の請求項４に係るけらば部材Ａは、請求項１乃至３のいずれか一項において、延出片６及び水切り片７の棟側端面１３を突出片３と折り返し片４と覆い片５の棟側端面１６よりも棟側に突出し、且つ延出片６及び水切り片７の棟側端面１３を基板１の接続部９の棟側端面１４よりも軒側の位置に形成して成ることを特徴とするものである。
【発明の効果】
【００１０】
請求項１の発明では、軒棟方向に隣接して配置される二つのけらば部材Ａ、Ａを接続するにあたって、軒側のけらば部材Ａの接続部９と棟側のけらば部材Ａの軒側端部とを上下に重ね合わせると共に、棟側のけらば部材Ａのカバー部８で軒側のけらば部材Ａの立ち上げ片２の棟側端部を覆うようにすることができ、けらば部材Ａを加工しなくても接続することができて施工現場での加工の手間を抑えて効率よく施工することができ、作業者の熟練度に影響を受けずに一定の施工状態を得ることができるものである。
【００１１】
請求項２の発明では、軒側のけらば部材Ａの延出片６及び水切り片７の棟側端部と、棟側のけらば部材Ａの延出片６及び水切り片７の軒側端部との重なり合う部分を少なくすることができ、隙間が形成されにくくなって防水性を高めることができるものである。
【００１２】
請求項３の発明では、カバー部８において、切り込み１０を設けた覆い片５と折り返し片４及び突出片３を折曲することで蓋２０を形成することができ、蓋２０を容易に形成することができるものである。
【００１３】
請求項４の発明では、延出片及び水切り片の棟側端面を突出片と折り返し片と覆い片の棟側端面よりも棟側に突出することによって、軒側のけらば部材Ａの延出片６及び水切り片７の棟側端部と、棟側のけらば部材Ａの延出片６及び水切り片７の軒側端部との重なり合う部分を少なくすることができ、隙間が形成されにくくなって防水性を高めることができるものであり、また、延出片６及び水切り片７の棟側端面を基板１の接続部９の棟側端面よりも軒側の位置に形成することによって、基板１の接続部９の面積を大きくすることができ、防水性を高めることができるものである。
【発明を実施するための最良の形態】
【００１４】
以下、本発明を実施するための最良の形態を説明する。
【００１５】
本発明のけらば部材Ａを図１及び図２に示す。このけらば部材Ａは耐食性の高いステンレス鋼板やめっき鋼板や塗装鋼板などを所定の形状に切断した後、折り曲げ加工等することにより形成することができる。
【００１６】
基板１は軒棟方向に長い矩形板状に形成されるものであって、その表面には軒棟方向に長い凸条３０が突設されている。基板１の軒棟方向と略平行な一方の側端部には立ち上げ片２が上側に向かって突設されている。立ち上げ片２は基板１の表面に対して略垂直に折り曲げて形成されており、また、立ち上げ片２は基板１の上記一方の側端部の全長にわたって形成されている。基板１の軒棟方向と略平行な他方の側端部には基板１の表面側に折り返し屈曲された水返し片３１が形成されている。
【００１７】
立ち上げ片２の上端には基板１側に向かって突出片３が突設されている。突出片３は立ち上げ片２の基板１側の面に対して略垂直に折り曲げて形成されており、基板１の表面（上面）と略平行に形成されている。
【００１８】
突出片３の先端にはその上面側に折り返し屈曲した折り返し片４が形成されている。折り返し片４はその下面が突出片３の上面に接触するように折り返して形成されており、基板１の表面（上面）と略平行に形成されている。
【００１９】
折り返し片４の先端には覆い片５が下側に向かって突設されている。覆い片５は折り返し片４の裏面（下面）に対して略垂直に折り曲げて形成されている。また、覆い片５はその内面（基板１側の面）が立ち上げ片２の外面に接触するようにして立ち上げ片２の外側に形成されている。
【００２０】
覆い片５の先端（下端）には基板１側に向かって延出片６が突設されている。延出片６は覆い片５の内面（基板１側の面）に対して略垂直に折り曲げて形成されている。また、延出片６はその上面が基板１の下面に接触するようにして基板１の下側に形成されている。
【００２１】
延出片６の先端には下側に向かって水切り片７が突設されている。水切り片７は延出片６の下面に対して略垂直に折り曲げて形成されている。また、水切り片７の下端には上側に向かって折り曲げ屈曲された水切り部３３が形成されている。
【００２２】
また、本発明のけらば部材Ａでは、上記の突出片３と折り返し片４と覆い片５の軒側端部はカバー部８として形成されており、このカバー部８は基板１及び立ち上げ片２の軒側端面１５よりも外側（軒側）に突出して形成されている。また、本発明のけらば部材Ａでは、基板１の棟側端部は接続部９として形成されており、この接続部９及び立ち上げ片２の棟側端部は、突出片３と折り返し片４と覆い片５の棟側端面１６よりも外側（棟側）に突出して形成されている。また、延出片６及び水切り片７の軒側端面１１と基板１の軒側端面１５とは軒棟方向において略同位置に形成することができ、この場合、カバー部８は延出片６及び水切り片７の軒側端面１１よりも外側（軒側）に突出して形成される。さらに、延出片６及び水切り片７の棟側端面１３は基板１の接続部９及び立ち上げ片２の棟側端面１４よりも内側（軒側）の位置に形成することができるが、この場合、延出片６及び水切り片７の棟側端面１３は突出片３と折り返し片４と覆い片５の棟側端面１６よりも外側（棟側）に突出して形成することができる。尚、突出片３と折り返し片４と覆い片５の棟側端面１６よりも外側（棟側）に突出する部分の立ち上げ片２の上面は棟側に向かって下り傾斜する傾斜面１７として形成されている。
【００２３】
図３に上記けらば部材Ａの展開図を示す。この図において、点線は山折線、実線は谷折線であり、各折線を折り曲げ加工することにより、上記のようなけらば部材Ａを形成することができる。
【００２４】
そして、上記のようなけらば部材Ａは屋根のけらば部に軒棟方向に複数個並べて取り付けて施工されるものであるが、軒棟方向に隣接して配置される二つのけらば部材Ａ１、Ａ２を接続するにあたって、図４、５に示すように、棟側のけらば部材Ａ１の軒側端部を軒側のけらば部材Ａ２の接続部９の上に重ね合わせると共に、棟側のけらば部材Ａ１の軒側端部において立ち上げ片２と覆い片５の間に、軒側のけらば部材Ａ２の立ち上げ片２の棟側端部を挿入しながら、棟側のけらば部材Ａ１のカバー部８を軒側のけらば部材Ａ１の折り返し片４の上面の棟側端部と立ち上げ片２の外面（基板１と反対側の面）の棟側端部とを覆うように重ね、さらに、棟側のけらば部材Ａ１の延出片６と水切り片７の軒側端部で、軒側のけらば部材Ａ２の延出片６と水切り片７の外面（基板１と反対側の面）の棟側端部とを覆うように重ねる。このとき、図５に示すように、軒側のけらば部材Ａ２の突出片３と折り返し片４の棟側端面の境界部分Ｘと、棟側のけらば部材Ａ１の立ち上げ片２の突出片３の軒側端面の境界部分Ｙとが当接し、軒側のけらば部材Ａ２と棟側のけらば部材Ａ１とを位置決めすることができ、上記の各重ね部分の重ね代を決めることができる。
【００２５】
また、図３のように、接続部９や立ち上げ片２の棟側端部（図３に斜線で示す部分）の面積は、延出片６と水切り片７の棟側端部やカバー部８（図３に点々模様で示す部分）の面積よりも大きく形成されており、これにより、棟側のけらば部材Ａ１と軒側のけらば部材Ａ２の重ね代が大きくなって防水性を高くすることができる。逆に、延出片６と水切り片７の棟側端部やカバー部８（図３に点々模様で示す部分）の面積は、接続部９や立ち上げ片２の棟側端部（図３に斜線で示す部分）の面積よりも小さく形成されており、これにより、棟側のけらば部材Ａ１と軒側のけらば部材Ａ２の重ね代が小さくなって施工しやすくなり、しかも、棟側のけらば部材Ａ１の軒側端部と軒側のけらば部材Ａ２の棟側端部とが重なり合って良好な外観を確保することができる。
【００２６】
このようにして本発明のけらば部材Ａは施工現場で切断や折り曲げ加工することなく、軒棟方向に接続することができる。
【００２７】
また、最も軒側に配設されるけらば部材Ａの軒側端部には蓋２０を形成することができる。この蓋２０はカバー部８を折り曲げ加工して形成することができる。すなわち、まず、図６（ａ）に示すように、カバー部８を構成する覆い片５の軒側端部から斜め上向きに傾斜する切り込み１０を形成する。次に、図６（ｂ）に示すように、覆い片５の切り込み１０よりも下側の部分５ｂを基板１側に突出するように略垂直に折り曲げると共に、覆い片５の切り込み１０よりも上側の部分５ａをカバー部８を構成する突出片３の下面に密着させるように上側に折り曲げる。この後、図６（ｃ）に示すように、カバー部８を構成する突出片３と折り返し片４及び覆い片５の切り込み１０よりも上側の部分５ａを下側に向かって折り曲げることによって、覆い片５の切り込み１０よりも下側の部分５ｂの外面に密着させる。このようにしてカバー部８で蓋２０を簡単な切り込み１０の形成と折り曲げ加工により容易に形成することができる。
【００２８】
尚、図１〜４に示すけらば部材Ａでは、延出片６及び水切り片７の軒側端面１１と基板１の軒側端面１２とは軒棟方向において略同位置に形成しているが、図７の展開図に示すように、延出片６及び水切り片７の軒側端面１１とカバー部８の軒側端面とを軒棟方向において略同位置に形成してもよい。この場合、図３の展開図に比べて、図７の斜線部分Ｂが残存している状態となる。また、図１〜４に示すけらば部材Ａでは、延出片６及び水切り片７の棟側端面１３を基板１の接続部９の棟側端面１４よりも軒側の位置に形成しているが、図７の展開図に示すように、延出片６及び水切り片７の棟側端面１３と接続部９の棟側端面１４とを軒棟方向において略同位置に形成してもよい。この場合、図３の展開図に比べて、図７の点模様部分Ｃが残存している状態となる。図３の展開図のものは図７の斜線部分Ｂや点模様部分Ｃは切除しているものであり、隣接するけらば部材Ａ、Ａを接続する際に重なり合う部分が少なくなって隙間が形成されにくくなり、防水性が高くなると共に、蓋２０の形成も容易に行うことができる。
【図面の簡単な説明】
【００２９】
【図１】本発明の実施の形態の一例を示す一部を省略した斜視図である。
【図２】同上の（ａ）は平面図、（ｂ）は正面図、（ｃ）は側面図である。
【図３】同上の展開図である。
【図４】は同上の接続方法を示し、（ａ）は正面図、（ｂ）は一部の斜視図である。
【図５】同上の接続状態を示す平面図である。
【図６】同上の蓋の作成工程を示し、（ａ）〜（ｃ）は斜視図である。
【図７】同上の他の実施の形態の展開図である。
【図８】従来例を示し、（ａ）（ｂ）は斜視図である。
【符号の説明】
【００３０】
Ａ  けらば部材
１  基板
２  立ち上げ片
３  突出片
４  折り返し片
５  覆い片
６  延出片
７  水切り片
８  カバー部
９  接続部
１０  切り込み
１１  軒側端面
１３  棟側端面
１４  棟側端面
１５  軒側端面
１６  棟側端面
【図１】
2008208541.tif 000003
【図２】
2008208541.tif 000004
【図３】
2008208541.tif 000005
【図４】
2008208541.tif 000006
【図５】
2008208541.tif 000007
【図６】
2008208541.tif 000008
【図７】
2008208541.tif 000009
【図８】
2008208541.tif 000010